(57)【要約】【課題】耐久性に優れ、演出部材を盤面に対して垂直方向に移動させることができる遊技機の可動装飾装置を提供する。【解決手段】遊技盤の盤面に対して垂直なＺ方向に移動する演出部材１９の基部に移動ケース２を設け、その内部にフレキシブルフラットケーブル１０を捲回して収納し、その内周端２１を演出部材１９に接続する。またその他端を電源に接続し、Ｚ方向に進退する演出部材１９への給電や通信を可能とした。所定範囲内において、演出部材１９を回転させることも可能である。【選択図】図２
2015023993.tif 000002
【特許請求の範囲】
【請求項１】
電気部品が搭載された演出部材と、この演出部材を遊技盤の盤面に対して垂直なＺ方向に進退可能に支持する移動ケースを備え、この移動ケースの内部にフレキシブルフラットケーブルを捲回して収納し、その内周端を前記演出部材に接続するとともにその他端を電源に接続し、Ｚ方向に進退する演出部材への給電または通信を行うことを特徴とする遊技機の可動装飾装置。
【請求項２】
前記演出部材は、移動ケースに対して回転可能なものであることを特徴とする請求項１に記載の遊技機の可動装飾装置。
【請求項３】
前記移動ケースは、前記電源を備えた固定ケースに対して、遊技盤の盤面と平行なＸＹ方向に移動可能なものであり、この固定ケース内に前記フレキシブルフラットケーブルの他端を捲回して収納したことを特徴とする請求項１または２に記載の遊技機の可動装飾装置。
【請求項４】
前記演出部材をＺ方向に進退させるために、モータにより駆動されるスパイラルシャフトを組み込んだことを特徴とする請求項１に記載の遊技機の可動装飾装置。
【請求項５】
前記移動ケースをＸＹ方向に移動可能とするために、モータにより駆動される２本のスパイラルシャフトを組み込んだことを特徴とする請求項３に記載の遊技機の可動装飾装置。
【発明の詳細な説明】
【技術分野】
【０００１】
本発明は、遊技機の盤面に対して垂直方向に進退する演出部材を備えた可動装飾装置に関するものである。なお本明細書において、盤面に平行な方向をＸＹ方向、盤面に対して垂直な方向をＺ方向という。
【背景技術】
【０００２】
パチンコ機などの遊技機の盤面には従来から様々な可動装飾装置が設けられており、その多くは演出部材を盤面と平行な平面内で回転させたり、昇降させたりするものである。このような演出部材に対して給電したり信号を伝達したりするためには、主としてスリップリングが用いられている。（特許文献１）
【０００３】
しかしスリップリングは高価であるうえ、ブラシ接点が摩耗するために耐久性に優れないという問題があった。また、スリップリングは回転軸方向、即ち、盤面に対して垂直方向に進退する演出部材への給電には使用できないため、演出部材の動きは盤面と平行な平面内での動きに限定されるという問題があった。
【先行技術文献】
【特許文献】
【０００４】
【特許文献１】特開２００５−２２４４３６号公報
【発明の概要】
【発明が解決しようとする課題】
【０００５】
従って本発明の主たる目的は上記した従来の問題点を解決し、耐久性に優れ、演出部材を盤面に対して垂直方向に進退させることができる遊技機の可動装飾装置を提供することである。また本発明の他の目的は、演出部材を盤面に対して垂直方向のみならず回転させることも可能な遊技機の可動装飾装置を提供することである。
【課題を解決するための手段】
【０００６】
上記の課題を解決するためになされた本発明は、演出部材と、この演出部材を遊技盤の盤面に対して垂直なＺ方向に進退可能に支持する移動ケースを備え、この移動ケースの内部にフレキシブルフラットケーブルを捲回して収納し、その内周端を前記演出部材に接続するとともにその他端を電源に接続し、Ｚ方向に進退する演出部材への給電または通信を行うことを特徴とするものである。
【０００７】
なお請求項２のように、前記演出部材は移動ケースに対して回転可能とすることができる。また請求項３のように、前記移動ケースは、前記電源を備えた固定ケースに対して、遊技盤の盤面と平行なＸＹ方向に移動可能なものであり、この固定ケース内に前記フレキシブルフラットケーブルの他端を捲回して収納することができる。
【０００８】
さらに請求項４のように、前記演出部材をＺ方向に進退させるために、モータにより駆動されるスパイラルシャフトを組み込んだ構造とすることができ、さらに請求項５のように、前記移動ケースをＸＹ方向に移動可能とするために、モータにより駆動される２本のスパイラルシャフトを組み込んだ構造とすることができる。
【発明の効果】
【０００９】
本発明によれば、移動ケース内に捲回したフレキシブルフラットケーブルを介して演出部材への給電や通信を行うため、演出部材をＺ方向に進退させた場合にも支障なく給電や通信を行うことができる。また演出部材を回転させたり、ＸＹ方向に移動させながら給電することも可能であるから、演出部材に様々な動きをさせることができる。しかもフレキシブルフラットケーブルは可撓性に富んだ材料であるため、耐久性の点でも問題はない。
【図面の簡単な説明】
【００１０】
【図１】実施形態の遊技機の可動装飾装置を示す全体斜視図である。
【図２】実施形態の遊技機の可動装飾装置を示す分解斜視図である。
【図３】作動状態を示す全体斜視図である。
【図４】固定ケースの中央縦断面図である。
【図５】移動ケースの底部の説明図である。
【図６】下ケースに対して上ケースを回転させた状態を示す斜視図である。
【図７】移動ケースの内部構造を示す断面図である。
【図８】演出部材を上昇させた状態を示す断面図である。
【発明を実施するための形態】
【００１１】
以下に図面を参照しつつ、本発明の実施形態を説明する。
図１は実施形態の遊技機の可動装飾装置を示す全体斜視図、図２はその分解斜視図、図３は作動状態を示す全体斜視図である。なお、全ての図面は遊技機の盤面を水平にした状態で描かれており、以下の説明では図面の表示に従って上下左右を説明する。しかしこれらの図面における上下方向がＺ方向となるため、使用状態においてＺ方向は、遊技者に対して近接・離間する方向である。
【００１２】
図１において、１は固定ケース、２はこの固定ケース１に対してＸＹ面内で移動することができる移動ケースである。図１、図４に示すように、固定ケース１は上下に分かれており、下ケース３は遊技盤の盤面に対して固定されている。図２、図４に示すように、下ケース３の内部には減速機を内蔵した第１のモータ４が収納されている。下ケース３の上面には基部が切り欠かれた円筒部５が形成されており、上ケース６の床板７がその外周に回転自在に嵌っている。また円筒部５の上端には、無底の上ケース６が回転自在に支持されている。上ケース６と床板７とは適宜の固定手段により固定され、一体化されている。
【００１３】
図４に示すように、上ケース６はその内部に中心円筒８を備えており、その先端は第１のモータ４の回転軸９に嵌合されている。このため第１のモータ４を回転させれば、上ケース６とその床板７を下ケース３の円筒部５の周りに回転させることができる。
【００１４】
この上ケース６の内部には、フレキシブルフラットケーブル１０がゼンマイのように捲回して収納されている。フレキシブルフラットケーブル１０は平型の構造を有する薄型で可撓性の電線であり、市販品を用いることができる。フレキシブルフラットケーブル１０の端部は固定ケース１の円筒部５の切欠き部を通じて図示しない電源と接続されている。フレキシブルフラットケーブル１０は薄型で可撓性を持ち、ゼンマイのように多重に捲回されているため、端部を固定された電源に接続したまま、自由に動かすことができる。
【００１５】
上ケース６の側面には、第２のモータ１１が取り付けられている。図２に示すように、その出力軸には歯車１２が固定されており、この歯車１２の両側には、歯車１２によって回転される小歯車１３がそれぞれ設けられている。これらの小歯車１３の内面にはめねじが形成されており、このめねじと螺合している２本のスパイラルシャフト１４が小歯車１３を貫通して盤面と平行なＸＹ方向に延びている。これらの２本のスパイラルシャフト１４は平行を保ったまま、前記した移動ケース２の底部に達している。図５に示すように、移動ケース２の底部の四隅にはこれらのスパイラルシャフト１４を支持するブロック１５が設けられている。スパイラルシャフト１４の端部は断面Ｄ状にカットされ、回転できないようにブロック１５に固定されている。このため、第２のモータ１１により小歯車１３を回転させると、これに螺合している２本のスパイラルシャフト１４が移動し、移動ケース２を固定ケース１の上ケース６に対して、近接させたり離隔させたりすることができる。
【００１６】
さらに、前記したように上ケース６は下ケース３に対して第１のモータ４によって回転させることができるので、図６に示すようにスパイラルシャフト１４の方向もＸＹ平面内で自由に変えることができ、移動ケース２を固定ケース１に対して回転させたり近接・離間させることができる。このため移動ケース２は遊技盤の盤面方向（ＸＹ方向）に自由に移動可能である。
【００１７】
図７に示すように、移動ケース２は有底円筒形であり、その中心部に無底筒状部１６が形成されている。前記した上ケース６の内部から引き出されたフレキシブルフラットケーブル１０は図１に示すように移動ケース２の端部に形成されたスリット状開口部１７から移動ケース２の内部に引き込まれ、ゼンマイのように多重に捲回して収納されている。その様子を図７に示す。
【００１８】
移動ケース２の無底筒状部１６の上部には、小径のめねじ部１８が形成されている。また移動ケース２の上面には円板状の演出部材１９が配置されている。演出部材１９は電気部品が搭載されたものであり、この実施形態ではＬＥＤ等の発光体２０を複数個備えたものである。これらの発光体２０への給電は、演出部材１９の基部に位置する移動ケース２の内部に捲回されているフレキシブルフラットケーブル１０の内周端２１（図２を参照）を通じて行われる。なお、電気部品が搭載された演出部材１９の形状構造については、様々な変更が可能であることは言うまでもない。
【００１９】
演出部材１９の中心部には第３のモータ２２が搭載されており、その出力軸２３には第２のスパイラルシャフト２４が取り付けられている。この第２のスパイラルシャフト２４は前記しためねじ部１８に螺合されているので、第３のモータ２２により第２のスパイラルシャフト２４を回転させれば、演出部材１９を移動ケース２に対してＺ方向に進退させることができる。なお、演出部材１９には第２のスパイラルシャフト２４と平行にガイド棒２５が設けられており、移動ケース２のめねじ部１８の中央から外れた位置にあるガイド棒挿通孔に挿通されている。従ってガイド棒２５による回り止め機能により、演出部材１９は、移動ケース２に対して回転することなく進退することができる。
【００２０】
しかしガイド棒２５は第２のスパイラルシャフト２４よりも短いため、演出部材１９が所定前進移動した後にはガイド棒２５は図８に示すようにガイド棒挿通孔から離脱する。この状態となるとガイド棒２５による回り止め機能が失われるので、第３のモータ２２を回転させれば演出部材１９は第２のスパイラルシャフト２４を中心として回転することとなる。このときガイド棒２５の先端は無底筒状部１６の上面に接触しつつ回転する。このようにして、同一の第３のモータ２２によって演出部材１９をＺ方向に前進後退させたり、回転させたりすることが可能となる。
【００２１】
上記したように、演出部材１９は移動ケース２に対してＺ方向に進退したり回転したりする。しかし演出部材１９の基部に位置する移動ケース２の内部にはフレキシブルフラットケーブル１０がゼンマイ状に捲回されているため、図８に示すように演出部材１９の動きに応じてフレキシブルフラットケーブル１０はＺ方向に変形し、ＬＥＤ等の発光体２０への給電や、第３のモータ２２への給電を行うことができる。また回転数は制限されるものの、演出部材１９の回転にも対応することができる。
【００２２】
このように構成された本発明の可動装飾装置は、移動ケース２とともに演出部材１９をＺ方向に進退させることができるとともに、回転させることもできる。また上記の実施形態によれば、移動ケース２とともに演出部材１９をＸＹ平面内で自由に動かすこともできる。しかもフレキシブルフラットケーブル１０を通じて給電するため、従来のスリップリングのように摩耗する部分がないため、耐久性にも優れたものである。
【符号の説明】
【００２３】
１  固定ケース
２  移動ケース
３  下ケース
４  第１のモータ
５  円筒部
６  上ケース
７  床板
８  中心円筒
９  回転軸
１０  フレキシブルフラットケーブル
１１  第２のモータ
１２  歯車
１３  小歯車
１４  スパイラルシャフト
１５  ブロック
１６  無底筒状部
１７  スリット状開口部
１８  めねじ部
１９  演出部材
２０  発光体
２１  内周端
２２  第３のモータ
２４  第２のスパイラルシャフト
２５  ガイド棒
【図１】
2015023993.tif 000003
【図２】
2015023993.tif 000004
【図３】
2015023993.tif 000005
【図４】
2015023993.tif 000006
【図５】
2015023993.tif 000007
【図６】
2015023993.tif 000008
【図７】
2015023993.tif 000009
【図８】
2015023993.tif 000010